(57)【要約】【課題】扉５０を円滑に移動操作すること。【解決手段】特別入賞口は上面が開口するものであり、扉５０が前後方向へ移動することで開閉される。この扉５０のスリット７１内にはリンクプレート６４の上板部６６が挿入されており、特別入賞口ソレノイド５５のプランジャ５６が前後方向へ移動することでリンクプレート６４が回転軸６３を中心に前後方向へ移動し、リンクプレート６４が前後方向へ移動することで扉５０が同方向へ移動する。このため、上板部６６のスリット７１内での変位が小さく抑えられるので、上板部６６の表面およびスリット７１の内面相互間での摩擦力が小さくなる。従って、扉５０の円滑な移動が摩擦力で阻害されることが防止される。【選択図】図６
2011224114.tif 000002
【特許請求の範囲】
【請求項１】
遊技球が発射される遊技盤と、
遊技者側である前方から見て前記遊技盤の後方に設けられ、上下方向の高さ寸法が左右方向の幅寸法に比べて大きな板状をなすものであって上端部および下端部のうちの一方の端部が遊技盤に対して静止する静止部材に回動可能に支持されることで他方の端部が前後方向へ移動可能にされたリンク部材と、
前記遊技盤の前方に設けられ、上面が開口する特別入球口と、
閉鎖位置および閉鎖位置に比べて後方の開放位置相互間で移動可能にされたものであって、前記特別入球口の上面を閉鎖位置で遊技球が入球不能に閉鎖すると共に開放位置で遊技球が入球可能に開放する扉と、
前記扉に設けられ、前記リンク部材の他方の端部が挿入されたスリットと、
前記遊技盤の後方に設けられ、前進位置および前進位置に比べて後方の後退位置相互間で移動可能なプランジャを有する電磁ソレノイドと、
前記電磁ソレノイドのプランジャに設けられ、前記電磁ソレノイドのプランジャが後退位置から前進位置に移動する場合には前記リンク部材を前記電磁ソレノイドのプランジャの移動力で後から前へ押すことで前記扉を閉鎖位置に操作すると共に前記電磁ソレノイドのプランジャが後退位置から前進位置に移動する場合には前記リンク部材を前記電磁ソレノイドのプランジャの移動力で前から後へ引くことで前記扉を開放位置に操作するレバー部材と、
前記遊技盤に設けられ、遊技球が入球可能な始動口と、
遊技球が前記始動口に入球した場合に大当りであるか否かを判定するものであって、大当りであると判定した場合に前記電磁ソレノイドのプランジャを前進位置から後退位置に操作することで前記扉を閉鎖位置から開放位置に操作する制御回路を備えたことを特徴とするパチンコ遊技機。
【発明の詳細な説明】
【技術分野】
【０００１】
本発明は遊技球が始動口に入球することで大当りであるか否かを判定する構成のパチンコ遊技機に関する。
【背景技術】
【０００２】
上記パチンコ遊技機には大当りであると判定されることで大当り遊技を行う構成のものがある。この大当り遊技は特別入球口を閉鎖状態から開放状態に切換えることで特別入球口に遊技球が入球することを許容するものであり、遊技球が特別入球口に入球した場合には遊技者に遊技球が賞品として払出される。特許文献１には遊技盤に上面が開口する特別入球口を設け、扉を前後方向へ移動操作することで特別入球口の上面を開閉する技術が記載されている。この特許文献１は扉に摺動板を連結し、摺動板に左右方向へ指向するスリットを設けたものであり、スリットの内部には作動側リンクの垂直な作動側係合軸が挿入されている。この作動側リンクは垂直な回転軸を中心に回転可能にされたものであり、作動側リンクの作動側係合軸は作動側リンクが回転軸を中心に回転することで円周方向へ移動し、摺動板は作動側リンクの作動側係合軸が円周方向へ移動することで前後方向へ直線的に移動し、扉は摺動板と一体的に前後方向へ移動することで特別入球口の上面を開閉する。
【先行技術文献】
【特許文献】
【０００３】
【特許文献１】特開２００７−２２９３６２号公報
【発明の概要】
【発明が解決しようとする課題】
【０００４】
特許文献１の場合には作動側リンクの作動側係合軸が回転軸を中心に円周方向へ移動するのに対して摺動板が前後方向へ直線的に移動する。このため、作動側リンクの作動側係合軸が円周方向へ移動する場合に摺動板のスリット内で左右方向へ変位するので、作動側係合軸の表面およびスリットの内面相互間で大きな摩擦力が生じる。従って、扉の円滑な移動が摩擦力で阻害される虞がある。
【課題を解決するための手段】
【０００５】
請求項１記載のパチンコ遊技機は次の［１］遊技盤〜［９］制御回路を備えたところに特徴を有する。
［１］遊技盤は遊技球が発射されるものであり、図３の符号１９は遊技盤に相当する。
［２］リンク部材は遊技者側である前方から見て遊技盤の後方に設けられたものである。このリンク部材は上下方向の高さ寸法が左右方向の幅寸法に比べて大きな板状をなすものであり、上端部および下端部のうちの一方の端部が静止部材に回動可能に支持されることで他方の端部が前後方向へ移動可能にされている。図６のリンクプレート６４はリンク部材に相当し、図６の軸受け６２は静止部材に相当する。
［３］特別入球口は遊技盤の前方に設けられたものであり、上面が開口している。図５の特別入賞口３８は特別入球口に相当する。
［４］扉は閉鎖位置および閉鎖位置に比べて後方の開放位置相互間で移動可能にされたものであり、特別入球口の上面を閉鎖位置で遊技球が入球不能に閉鎖すると共に開放位置で遊技球が入球可能に開放する。図５の符号５０は扉に相当する。
［５］スリットは扉に設けられたものであり、リンク部材の他方の端部が挿入されたものである。図６の符号７１はスリットに相当する。
［６］電磁ソレノイドは遊技盤の後方に設けられたものであり、前進位置および前進位置に比べて後方の後退位置相互間で移動可能なプランジャを有している。図６の特別入賞口ソレノイド５５は電磁ソレノイドに相当し、図６の符号５６はプランジャに相当する。
［７］レバー部材は電磁ソレノイドのプランジャに設けられたものであり、電磁ソレノイドのプランジャが後退位置から前進位置に移動する場合にはリンク部材を電磁ソレノイドのプランジャの移動力で後から前へ押すことで扉を閉鎖位置に操作し、電磁ソレノイドのプランジャが後退位置から前進位置に移動する場合にはリンク部材を電磁ソレノイドのプランジャの移動力で前から後へ引くことで扉を開放位置に操作する。図６のレバー６０はレバー部材に相当する。
［８］始動口は遊技盤に設けられたものであり、遊技球が入球可能なものである。図２の特別始動口２５は始動口に相当する。
［９］制御回路は遊技球が始動口に入球した場合に大当りであるか否かを判定するものであり、大当りであると判定した場合には電磁ソレノイドのプランジャを前進位置から後退位置に操作することで扉を閉鎖位置から開放位置に操作する。図４のメイン制御回路３６は制御回路に相当する。
【発明の効果】
【０００６】
電磁ソレノイドのプランジャが前進位置および後退位置相互間で移動することでリンク部材が回転軸を中心に前後方向へ移動し、リンク部材が前後方向へ移動することで扉が同方向へ移動する。このため、リンク部材のスリット内での変位が小さく抑えられるので、リンク部材の表面およびスリットの内面相互間での摩擦力が小さくなる。従って、扉の円滑な移動が摩擦力で阻害されることが防止される。
【図面の簡単な説明】
【０００７】
【図１】実施例１を示す図（パチンコ遊技機の全体構成を前方から示す図）
【図２】内枠を斜め前方から示す図
【図３】内枠および遊技盤を前方から示す図
【図４】電気的構成を示す図
【図５】装飾板を斜め前方から示す図
【図６】扉の操作機構を閉鎖位置で示す図
【図７】扉の操作機構を開放位置で示す図
【発明を実施するための形態】
【０００８】
【実施例１】
【０００９】
外枠１は、図１に示すように、複数の木材を前面および後面のそれぞれが開口する四角筒状に接合することから構成されたものであり、外枠１の前方には、図２に示すように、内枠２が上下方向へ指向する軸３を中心に回動可能に装着されている。この内枠２は縦長な四角環状をなすものであり、左板部と右板部と上板部と下板部を有している。この内枠２は外枠１の前端面に前方から接触する閉鎖状態および外枠１の前端面から前方へ離間する開放状態相互間で軸３を中心に回動操作されるものであり、内枠ロック機構を介して閉鎖状態にロックされている。この内枠２の下端部には台板部４が形成されている。この台板部４は垂直な板状をなすものであり、内枠２の下端部を閉鎖している。
【００１０】
内枠２には、図１に示すように、内枠２の前方に位置して前枠５が装着されている。この前枠５は内枠２の前面を閉鎖する閉鎖状態および内枠２の前面を開放する開放状態相互間で内枠２と共通の軸３を中心に回動操作されるものであり、前枠ロック機構を介して閉鎖状態にロックされている。この前枠５には円形状の貫通孔６が形成されており、貫通孔６の内周面には透明な窓７が固定されている。この前枠５には前枠５の前方に位置して上皿８が固定されている。この上皿８は上面が開口する容器状をなすものであり、内枠２の台板部４には、図２に示すように、上皿８の後方に位置して払出口９が形成されている。この払出口９は遊技球を上皿８内に賞品として払出すものであり、払出口９から上皿８内に払出された遊技球は上皿８内に貯留される。
【００１１】
内枠２には、図１に示すように、上皿８の下方に位置して下皿板１０が固定されており、下皿板１０には下皿１１が固定されている。この下皿１１は上皿８内から溢れた遊技球を貯留するものであり、上面が開口する容器状をなしている。この下皿板１０には下皿１１の右方に位置してハンドル台１２が固定されており、ハンドル台１２にはハンドル１３が装着されている。このハンドル１３は遊技者が右の手指で操作するものであり、発射停止位置および発射停止位置に比べて時計回り方向の操作限度位置相互間で前後方向へ指向する軸１４を中心に回動可能にされている。ハンドル台１２の内部にはハンドルセンサ１５が固定されている。このハンドルセンサ１５は可変抵抗器からなるものであり、ハンドル１３の発射停止位置を基準とする時計回り方向の操作位置に応じて抵抗値が変化する。
【００１２】
内枠２の台板部４には、図３に示すように、発射ソレノイド１６が固定されており、発射ソレノイド１６の出力軸には打球槌が連結されている。この発射ソレノイド１６は電磁ソレノイドおよびリターンスプリングを内蔵するロータリーソレノイドからなるものであり、打球槌は発射ソレノイド１６が電気的なオフ状態からオン状態になることで電磁力で待機位置から打球位置に往動し、発射ソレノイド１６が電気的なオン状態からオフ状態になることでリターンスプリングのばね力で打球位置から待機位置に復動する。
【００１３】
発射ソレノイド１６は電源回路に接続されている。この電源回路はハンドル１３の発射停止位置で発射ソレノイド１６に駆動電源を与えないオフ状態になり、ハンドル１３が発射停止位置から時計回り方向に操作されている状態で発射ソレノイド１６にパルス状の駆動電源を一定周期で与えるオン状態になるものであり、電源回路のオン状態では発射ソレノイド１６のオンオフが一定周期で繰返されることで打球槌が待機位置および打球位置相互間で往復動を繰返す。この電源回路はオン状態で駆動電源の大きさをハンドルセンサ１５の抵抗値に応じて調整するものであり、駆動電源の大きさはハンドル１３の発射停止位置を基準とする時計回り方向への操作量が大きくなることに応じて大きくなり、打球槌が待機位置から打球位置に移動するときの勢いはハンドル１３の発射停止位置を基準とする時計回り方向への操作量が大きくなることに応じて強くなる。
【００１４】
内枠２の台板部４には、図３に示すように、発射レール１７が固定されている。この発射レール１７は右から左に向けて上昇する傾斜状をなすものであり、発射レール１７の右端部には球止め板１８が固定されている。この球止め板１８には遊技球が通過することが不能な大きさの貫通孔が形成されており、打球槌の打球位置では打球槌の一部が球止め板１８の貫通孔を通して発射レール１７上に進入し、打球槌の待機位置では打球槌の一部が発射レール１７上から右方へ退避する。この発射レール１７は打球槌が打球位置から待機位置に向けて移動開始することに連動して上皿８内から１個の遊技球が移送されるものであり、球止め板１８は上皿８内から発射レール１７上に移送された遊技球が発射レール１７の右端部から転落することを防止する。打球槌は待機位置から打球位置に往動することで球止め板１８が支持する遊技球を球止め板１８の貫通孔を通して右から左に向けて叩くことで同方向へ転動させものであり、打球槌が発射レール１７上の遊技球を叩く打力はハンドル１３の発射停止位置を基準とする時計回り方向への操作量が大きくなることに応じて強くなる。
【００１５】
内枠２には、図３に示すように、台板部４の上方に位置して遊技盤１９が固定されている。この遊技盤１９は垂直な板状をなすものであり、遊技盤１９には遊技盤１９の前方に位置して内レール２０と外レール２１と球止めゴム２２が固定されている。内レール２０は上面が開口する円弧状の金属板から構成されたものであり、外レール２１は内レール２０の外周部に配置された円弧状の金属板から構成されたものであり、球止めゴム２２は内レール２０の右端部および外レール２１の右端部相互間の隙間を塞ぐゴムから構成されている。これら内レール２０および外レール２１相互間には発射通路２３が形成されている。この発射通路２３は下端部および上端部のそれぞれが開口する円弧状をなすものであり、打球槌が叩いた遊技球は発射レール１７に沿って転動した後に発射通路２３の下端部を通って発射通路２３内に進入し、発射通路２３に沿って円弧状の軌跡を描きながら上昇する。
【００１６】
遊技盤１９には、図３に示すように、発射通路２３の右方に位置して遊技領域２４が形成されている。この遊技領域２４は内レール２０と外レール２１と球止めゴム２２で囲まれた領域のうち発射通路２３を除く残りの円形状の領域を称するものであり、打球槌が叩いた遊技球は発射通路２３の上端部から遊技領域２４内に放出される。この遊技領域２４内には複数の障害釘が固定されており、遊技領域２４内に放出された遊技球は障害釘に当りながら遊技領域２４内を落下する。この遊技領域２４は前枠５の閉鎖状態で前枠５の窓７が前方から対向するものであり、前枠５の閉鎖状態で前方から窓７を通して視覚的に認識可能にされている。
【００１７】
遊技盤１９には、図３に示すように、遊技領域２４内に位置して特別始動口２５が固定されている。この特別始動口２５は上面が開口するポケット状をなすものであり、特別始動口２５には２枚の羽根板２６が装着されている。これら両羽根板２６のそれぞれは垂直な閉鎖状態（実線参照）および水平な開放状態（二点鎖線参照）相互間で前後方向へ指向する軸２７を中心に回動可能にされたものであり、両羽根板２６のそれぞれの閉鎖状態では遊技球が両羽根板２６相互間の隙間のみを通って特別始動口２５内に入賞することが可能となり、両羽根板２６のそれぞれの開放状態では遊技球が両羽根板２６のそれぞれに乗って特別始動口２５内に入賞することが可能となる。即ち、特別始動口２５は両羽根板２６のそれぞれの閉鎖状態で遊技球が入賞することが可能な外れ状態になるものであり、両羽根板２６のそれぞれの開放状態では遊技球が外れ状態に比べて容易に入賞することが可能な当り状態になる。
【００１８】
特別始動口２５内には近接スイッチからなる特別始動口センサ２８（図４参照）が固定されており、遊技球が特別始動口２５内に入賞した場合には特別始動口センサ２８が遊技球を検出することで特別始動信号を出力する。この特別始動口２５の両羽根板２６のそれぞれは特別始動口ソレノイド２９（図４参照）の出力軸に連結されている。この特別始動口ソレノイド２９は電磁ソレノイドからなるものであり、両羽根板２６のそれぞれは特別始動口ソレノイド２９の電気的なオフ状態で閉鎖状態になり、特別始動口ソレノイド２９の電気的なオン状態で開放状態になる。これら特別始動口２５と両羽根板２６と特別始動口センサ２８と特別始動口ソレノイド２９は特別始動口装置を構成するものである。
【００１９】
遊技盤１９には、図３に示すように、遊技領域２４内に位置して装飾枠３０が固定されている。この装飾枠３０は遊技盤１９の開口部内に嵌合されたものであり、前面および後面のそれぞれが開口する筒状をなしている。この装飾枠３０は特別始動口２５に比べて高所に配置されたものであり、装飾枠３０には装飾枠３０を取囲む飾りフランジ３１が固定されている。この装飾枠３０は前方から飾りフランジ３１を通して遊技盤１９に複数のネジを螺合することで固定されたものであり、装飾枠３０の後端部には液晶表示器からなる図柄表示器３２が固定されている。この図柄表示器３２は遊技盤１９より後方に配置されたものであり、図柄表示器３２の表示内容は前枠５の閉鎖状態で前方から前枠５の窓７および装飾枠３０の前面のそれぞれを通して視覚的に認識可能にされている。
【００２０】
遊技盤１９には、図３に示すように、遊技領域２４内に位置して装飾板３３が固定されている。この装飾板３３は遊技盤１９の前面に接触する垂直な板状をなすものであり、特別始動口２５に比べて低所に配置されている。この装飾板３３には普通始動口３４が固定されている。この普通始動口３４は上面および下面のそれぞれが開口するコ字枠状をなすものであり、遊技球が通過することが可能にされている。この普通始動口３４内には近接スイッチからなる普通始動口センサ３５（図４参照）が固定されており、遊技球が普通始動口３４内を通過した場合には普通始動口センサ３５が遊技球を検出することで普通始動信号を出力する。
【００２１】
図４のメイン制御回路３６はマイクロコンピュータを主体に構成されたものであり、ＣＰＵとＲＯＭとＲＡＭを有している。このメイン制御回路３６は特別始動口センサ２８から特別始動信号が出力されているか否かを判断し、普通始動口センサ３５から普通始動信号が出力されているか否かを判断するものであり、特別始動口センサ２８から特別始動信号が出力されていると判断した場合には大当りカウンタの値の更新結果を検出し、普通始動口センサ３５から普通始動信号が出力されていると判断した場合には当りカウンタの値の更新結果を検出する。これら大当りカウンタの値および当りカウンタの値のそれぞれは一定時間（４ｍｓｅｃ）が経過する毎にメイン制御回路３６が一定値（１）だけ更新するものであり、大当りカウンタの値は予め決められた下限値（０）を基準に予め決められた上限値（１００）まで加算された後に下限値に戻して循環的に加算され、当りカウンタの値は予め決められた下限値（０）を基準に予め決められた上限値（３２）まで加算された後に下限値に戻して循環的に加算される。
【００２２】
メイン制御回路３６は大当りカウンタの値を検出した場合に大当りカウンタの値の検出結果を予め決められた大当り値（７）と比較するものであり、大当りカウンタの値の検出結果が大当り値と同一であると判断した場合には大当りであると判定し、大当りカウンタの値の検出結果が大当り値と相違していると判断した場合には外れであると判定する。このメイン制御回路３６は当りカウンタの値を検出した場合に当りカウンタの値の検出結果を予め決められた当り値（１７）と比較するものであり、当りカウンタの値の検出結果が当り値と同一であると判断した場合には当りであると判定し、当りカウンタの値の検出結果が当り値と相違していると判断した場合には外れであると判定する。このメイン制御回路３６は当りであると判定した場合に当り遊技を行うものである。この当り遊技は特別始動口ソレノイド２９を予め決められた一定時間（４×１０００ｍｓｅｃ）だけオン状態にするものであり、特別始動口２５は当りであると判定された場合に一定時間だけ当り状態にされる。
【００２３】
図４の表示制御回路３７はマイクロコンピュータを主体に構成されたものであり、メイン制御回路３６は大当りであると判定した場合に表示制御回路３７に大当りコマンドを送信し、外れであると判定した場合に表示制御回路３７に外れコマンドを送信する。この表示制御回路３７はメイン制御回路３６から大当りコマンドおよび外れコマンドのそれぞれが送信されたか否かを判断するものであり、メイン制御回路３６から大当りコマンドが送信されたと判断した場合には装飾図柄を大当りの組合せに設定し、メイン制御回路３６から外れコマンドが送信されたと判断した場合には装飾図柄を外れの組合せに設定する。この装飾図柄は左列の図柄要素と中列の図柄要素と右列の図柄要素の組合せからなるものであり、大当りの組合せとは左列の図柄要素〜右列の図柄要素のそれぞれが相互に同一な組合せを称し、外れの組合せとは左列の図柄要素〜右列の図柄要素のそれぞれが相互に同一でない組合せを称する。
【００２４】
表示制御回路３７は装飾図柄の組合せを設定した場合に図柄遊技の映像を図柄表示器３２に表示するものである。この図柄遊技の映像は図柄表示器３２に左列の図柄要素と中列の図柄要素と右列の図柄要素のそれぞれを可変状態および可変停止状態で順に表示するものであり、左列の図柄要素〜右列の図柄要素のそれぞれの可変表示は８種類の図柄要素「１」〜「８」を予め決められた順序「１」→「２」→「３」→「４」→「５」→「６」→「７」→「８」→「１」・・・で循環的に変化させることで行われ、左列の図柄要素〜右列の図柄要素のそれぞれの停止表示は図柄要素を「１」〜「８」の８種類のいずれか１つで停止させることで行われる。この図柄遊技の映像は大当りであるか否かの判定結果を遊技者に報知するためのものであり、表示制御回路３７は装飾図柄を外れの組合せに設定した場合には装飾図柄が外れの組合せとなるように左列の図柄要素と中列の図柄要素と右列の図柄要素のそれぞれを設定結果で停止表示し、装飾図柄を大当りの組合せに設定した場合には装飾図柄が大当りの組合せとなるように左列の図柄要素と中列の図柄要素と右列の図柄要素のそれぞれを設定結果で停止表示する。
【００２５】
装飾板３３には、図５に示すように、特別入賞口３８が固定されている。この特別入賞口３８は上面が開口する皿状をなすものであり、遊技球は特別入賞口３８内に上面から入賞することが可能にされている。この特別入賞口３８は特別始動口２５および普通始動口３４のそれぞれに比べて右方に配置されたものであり、底板３９と左板４０と右板４１と前板４２を有している。これら底板３９と左板４０と右板４１のそれぞれは装飾板３３から前方へ突出するものであり、底板３９は右から左に向けて直線的に下降すると共に前から後に向けて下降する傾斜状をなし、左板４０は底板３９の左端部を起点に底板３９の左端部から左方へ遠ざかることに応じて上昇する傾斜状をなし、右板４１は底板３９の右端部を起点に底板３９の右端部から右方へ遠ざかることに応じて上昇する傾斜状をなしている。前板４２は底板３９と左板４０と右板４１のそれぞれの前端面に固定されたものであり、装飾板３３に対して前方に離間している。この前板４２は開口部を有する垂直な枠状をなすものであり、前板４２にはレンズ４３が固定されている。このレンズ４３は前板４２の開口部を塞ぐ有色透明な板状をなすものであり、装飾板３３にはレンズ４３の後方に位置してＬＥＤ基板が固定されている。このＬＥＤ基板には複数の電飾ＬＥＤが搭載されている。これら複数の電飾ＬＥＤのそれぞれは後から前に向けて光を投射するものであり、レンズ４３は電飾ＬＥＤが発光することで後方から照明される。
【００２６】
装飾板３３には、図５に示すように、特別排出通路４６が固定されている。この特別排出通路４６は前後方向へ指向する筒状をなすものであり、前端部に入口を有すると共に後端部に出口を有している。この特別排出通路４６の入口は特別入賞口３８内の左端部に接続されており、特別入賞口３８内に入賞した遊技球は底板３９の傾斜に沿って右から左および前から後のそれぞれに向けて転動することで特別排出通路４６内に入口から進入する。この特別排出通路４６は前から後に向けて下降する底面を有するものであり、特別排出通路４６内に進入した遊技球は特別排出通路４６の底面に沿って前から後へ転動する。この特別排出通路４６の出口は遊技盤１９を貫通して遊技盤１９の後方に配置されており、特別排出通路４６の底面に沿って前から後へ転動する遊技球は特別排出通路４６の出口から遊技盤１９の後方へ排出される。この特別排出通路４６は遊技球が前後方向に一列に通過するものであり、特別排出通路４６内には特別入賞口センサ４７（図４参照）が固定されている。この特別入賞口センサ４７は近接スイッチからなるものであり、遊技球が特別入賞口３８内に入賞した場合には特別入賞口センサ４７が特別排出通路４６内で遊技球を検出することで特別入賞信号を出力する。
【００２７】
遊技盤１９には、図３に示すように、遊技領域２４内に位置して誘導部材４８が固定されている。この誘導部材４８は特別入賞口３８の右方に配置されたものであり、誘導部材４８の上面は右から左に向けて下降する傾斜状に設定されている。この誘導部材４８の上面は遊技者が遊技球を遊技領域２４内の右端部に向けて発射している右打ち状態で遊技球が内レール２０に沿って転動することで乗り上げるものであり、誘導部材４８の上面に乗り上げた遊技球は誘導部材４８の上面に沿って右から左へ転動する。この誘導部材４８および特別入賞口３８相互間には遊技球が落下することが可能な大きさの隙間状の落下領域４９が形成されており、特別入賞口３８には遊技球の右打ち状態で落下領域４９を右から左に飛び越えた遊技球のみが供給される。
【００２８】
特別入賞口３８の左板４０と右板４１との間には、図５に示すように、扉５０が閉鎖位置および開放位置相互間で前後方向へ直線的に移動可能に装着されている。この扉５０は閉鎖位置で特別入賞口３８の上面を遊技球が入賞不能に閉鎖し、開放位置で特別入賞口３８の上面を遊技球が入賞可能に開放するものであり、遊技者が扉５０の開放位置で遊技球を右打ち状態で発射している場合には落下領域４９を飛び越えた遊技球が特別入賞口３８内に上面から入賞する。この扉５０は特別入賞口３８の底板３９に対して平行な板状をなすものであり、遊技者が扉５０の閉鎖位置で遊技球を右打ち状態で発射している場合には落下領域４９を飛び越えた遊技球が扉５０の上面に沿って右から左へ転動し、扉５０の左端部から落下する。この扉５０の左方には特別始動口２５が配置されており、特別始動口２５の両羽根板２６の開放状態では扉５０の左端部を通過した遊技球が右側の羽根板２６に乗って特別始動口２５内に入賞することが可能になる。この扉５０の左方には普通始動口３４が配置されており、扉５０の左端部から落下した遊技球は普通始動口３４内を予め決められた確率で通過する。即ち、扉５０は閉鎖位置で特別始動口２５および普通始動口３４の双方に対する遊技球の入賞経路を閉鎖するものであり、特別始動口２５および普通始動口３４の双方に対する遊技球の入賞経路は扉５０の開放位置で開放される。
【００２９】
装飾板３３には、図５に示すように、普通入賞口５１が固定されている。この普通入賞口５１は底板５２と特別入賞口３８の右板４１と特別入賞口３８の前板４２で囲まれたものであり、装飾板３３の右領域内に配置されている。この右領域は特別入賞口３８の右板４１を斜辺とする直角三角形状の領域であり、普通入賞口５１および特別入賞口３８のそれぞれは右板４１を側方の隔壁として共有し、前板４２を前方の隔壁として共有している。この普通入賞口５１は遊技者が遊技球を右打ち状態で発射している場合に誘導部材４８の上面から特別入賞口３８に到達することなく落下領域４９内に落下した遊技球が予め決められた確率で入賞するものであり、特別入賞口３８の右板４１に沿って右斜め上方に向けて開口するポケット状をなしている。即ち、普通入賞口５１は遊技球が入賞可能となるように状態が固定されたものである。
【００３０】
装飾板３３には、図５に示すように、普通排出通路５３が固定されている。この普通排出通路５３は前後方向へ指向する樋状をなすものであり、前端部に入口を有すると共に後端部に出口を有している。この普通排出通路４６の入口は普通入賞口５１内に接続されており、普通入賞口５１内に入賞した遊技球は普通排出通路５３内に入口から進入する。この普通排出通路５３は前から後に向けて下降する底面を有するものであり、普通排出通路５３内に進入した遊技球は普通排出通路５３の底面に沿って前から後へ転動する。この普通排出通路５３の出口は遊技盤１９を貫通して遊技盤１９の後方に配置されており、普通排出通路５３の底面に沿って前から後へ転動する遊技球は普通排出通路５３の出口から遊技盤１９の後方へ排出される。この普通排出通路５３は遊技球が前後方向に一列に通過することが可能なものであり、普通排出通路５３内には普通入賞口センサ５４（図４参照）が固定されている。この普通入賞口センサ５４は近接スイッチからなるものであり、遊技球が普通入賞口５１内に入賞した場合には普通入賞口センサ５４が普通排出通路５３内で遊技球を検出することで普通入賞信号を出力する。
【００３１】
装飾板３３には、図５に示すように、特別入賞口ソレノイド５５が固定されている。この特別入賞口ソレノイド５５は、図６に示すように、プランジャ５６およびリターンスプリングを有する直動形の電磁ソレノイドからなるものであり、遊技盤１９の開口部内に挿入されることで装飾板３３の後方に配置されている。この特別入賞口ソレノイド５５のプランジャ５６は円柱状をなすものであり、前進位置（図６参照）および前進位置に比べて後方の後退位置（図７参照）相互間で直線的に移動可能にされている。このプランジャ５６は特別入賞口ソレノイド５５の電気的なオフ状態で前進位置にリターンスプリングのばね力で静止するものであり、特別入賞口ソレノイド５５の電気的なオン状態では電磁力で後退位置に静止する。即ち、特別入賞口ソレノイド５５はオフ状態からオン状態になることでリターンスプリングのばね力に抗して前進位置から後退位置に移動するものであり、オン状態からオフ状態になることでリターンスプリングのばね力で後退位置から前進位置に移動する。
【００３２】
特別入賞口ソレノイド５５のプランジャ５６には、図６に示すように、前端部に位置してプランジャヘッド５７が固定されている。このプランジャヘッド５７はプランジャ５６に比べて直径寸法が大きな円板状をなすものであり、プランジャヘッド５７にはヘッドカバー５８が固定されている。図６の中心線ＣＬは特別入賞口３８の底板３９および扉５０のそれぞれに対して垂直でプランジャ５６の軸心を通る直線であり、ヘッドカバー５８は中心線ＣＬを基準とする左方の幅寸法および右方の幅寸法が相互に同一な均等な形状に設定されている。このヘッドカバー５８にはアーム５９が固定されている。このアーム５９はヘッドカバー５８から垂直に突出するものであり、中心線ＣＬを基準とする左方の幅寸法および右方の幅寸法が相互に同一な均等な形状に設定されている。このアーム５９の上端部にはレバー６０が固定されている。このレバー６０は前板と上板と後板を有する断面コ字状をなすものであり、前板と上板と後板で囲まれた係合空間６１を有している。このレバー６０は中心線ＣＬを基準とする左方の幅寸法および右方の幅寸法が相互に同一な均等な形状に設定されたものであり、プランジャ５６と一体的に前進位置および後退位置相互間で移動する。
【００３３】
装飾板３３には、図６に示すように、２枚の軸受け６２が固定されている。これら両軸受け６２のそれぞれは中心線ＣＬに対して平行な板状をなすものであり、装飾板３３の後方に配置されている。これら両軸受け６２のそれぞれには共通の回転軸６３が回転可能に装着されている。この回転軸６３は中心線ＣＬに対して垂直なものであり、回転軸６３にはリンクプレート６４が固定されている。このリンクプレート６４は下板部６５と上板部６６と左板部６７と右板部６８を有する縦長な長方形状をなすものであり、中心線ＣＬを基準とする左方の幅寸法および右方の幅寸法が相互に同一な均等な形状に設定されている。このリンクプレート６４は開口部６９を有している。この開口部６９は下板部６５と上板部６６と左板部６７と右板部６８で囲まれた縦長な長方形状をなすものであり、開口部６９内には中間板７０が配置されている。この中間板７０はリンクプレート６４の機械的な強度を高めるものであり、リンクプレート６４の左板部６７および右板部６８のそれぞれに固定されている。このリンクプレート６４は遊技盤１９の後方に配置されたものであり、上下方向の高さ寸法が左右方向の幅寸法に比べて大きな長方形の板状をなしている。
【００３４】
リンクプレート６４の開口部６９内には、図６に示すように、回転軸６３と扉５０に垂直でプランジャ５６の軸心を通る直線上、即ち中心線ＣＬ上においてレバー６０が挿入されている。このレバー６０の係合空間部６１内にはリンクプレート６４の下板部６５が下方から挿入されており、レバー６０は特別入賞口ソレノイド５５のオフ状態ではリンクプレート６４の下板部６５を後から前へ押すことでリンクプレート６４を下から上に向けて前方へ傾斜する前傾倒状態に回転軸６３を中心に操作し、特別入賞口ソレノイド５５のオン状態では、図７に示すように、リンクプレート６４の下板部６５を前から後へ引くことでリンクプレート６４を下から上に向けて後方へ傾斜する後傾倒状態に回転軸６３を中心に操作する。
【００３５】
扉５０の後端部には、図６に示すように、スリット７１が形成されている。このスリット７１は横長な長方形状をなすものであり、扉５０を厚さ方向に貫通する貫通孔から構成されている。このスリット７１内にはリンクプレート６４の上板部６６が挿入されており、特別入賞口ソレノイド５５のオフ状態ではリンクプレート６４が前傾倒状態に傾倒することで扉５５が閉鎖位置に操作され、特別入賞口ソレノイド５５のオン状態では、図７に示すように、リンクプレート６４が後傾倒状態に傾倒することで扉５０が閉鎖位置に比べて後方の開放位置に操作される。このリンクプレート６４の上板部には、図６に示すように、円弧面７２が形成されている。この円弧面７２は上板部６６の左右方向の全域に形成されたものであり、上板部６６がスリット７１の内面に引掛ることを防止する。即ち、アーム５９とレバー６０とリンクプレート６４は扉５０を閉鎖位置および開放位置相互間で前後方向へ操作する操作機構を構成するものであり、特別入賞口ソレノイド５５は操作機構の駆動源に相当する。
【００３６】
特別入賞口３８の前板４２には、図５に示すように、切欠部７７が形成されている。この切欠部７７は前板４２の上端部を下方に向けて切欠いた形状をなすものであり、扉５０の閉鎖位置では扉５０が切欠部７７を介して前板４２に上方から対向する。この切欠部７７は扉５０の閉鎖位置で遊技球が前方から切欠部７７を通して特別入賞口３８内に入賞することを禁止する大きさに設定されたものであり、遊技球が扉５０の閉鎖位置で前板４２の上端部および扉５０の前端部相互間で挟まれることを防止する。この切欠部７７は特別入賞口ソレノイド５５がオン状態からオフ状態に切換えられることで扉５０が閉鎖位置に移動するときに遊技球が前板４２の上端部および扉５０の前端部相互間に挟まった場合に前板４２の上端部および扉５０の前端部のそれぞれから遊技球に加わる力を低く抑えるものであり、この構成によって遊技球が挟まった状態を早期に解消し、扉５０を確実に閉鎖位置に移動させることができる。
【００３７】
メイン制御回路３６は大当りであると判定した場合に大当り遊技を行うものである。この大当り遊技は予め決められた複数回の大当りラウンドの集合体を称するものであり、メイン制御回路３６は図柄表示器３２に装飾図柄が大当りの組合せで停止表示された場合に１回目の大当りラウンドを開始し、最終回の大当りラウンドを除いて今回の大当りラウンドが終了した場合に次回の大当りラウンドを開始する。この大当りラウンドは特別入賞口ソレノイド５５を電気的なオフ状態からオン状態に切換えることで特別入賞口３８の扉５０を閉鎖位置から開放位置に移動操作し、遊技球が特別入賞口３８内に上面から入賞することを許容するものである。この大当りラウンドは特別入賞口３８の開放時間が予め決められた限度時間に到達した場合または特別入賞口３８に対する遊技球の入賞個数が予め決められた限度個数に到達した場合に終了するものであり、メイン制御回路３６は特別入賞口センサ４７からの特別入賞信号に基づいて遊技球の特別入賞口３８に対する入賞個数を計測する。
【００３８】
内枠２には、図２に示すように、賞球タンク７３および賞球ケース７４が固定されている。賞球タンク７３は遊技球を貯留するものであり、上面が開口する容器状をなしている。賞球ケース７４は上下方向へ指向する通路状をなすものであり、賞球ケース７４の上端部は賞球タンク７３内に接続されている。この賞球ケース７４は賞球タンク７３内から遊技球が上端部を通して供給されるものであり、賞球ケース７４内には賞球払出装置が固定されている。この賞球払出装置は払出モータ７５（図４参照）を駆動源として賞球ケース７４内の遊技球を賞球ケース７４の下端部から落下させるものである。この賞球ケース７４の下端部は内枠２の払出口９に接続されており、賞球ケース７４の下端部から落下した遊技球は払出口９を通して上皿８内に賞品として払出される。
【００３９】
図４の払出制御回路７６はマイクロコンピュータを主体に構成されたものであり、メイン制御回路３６は特別始動口センサ２８からの特別始動信号を検出した場合と特別入賞口センサ４７からの特別入賞信号を検出した場合と普通入賞口センサ５４からの普通入賞信号を検出した場合のそれぞれに賞球コマンドを払出制御回路７６に送信する。この払出制御回路７６はメイン制御回路３６から賞球コマンドが送信されたか否かを判断するものであり、メイン制御回路３６から賞球コマンドが送信されたと判断した場合には賞球払出装置の払出モータ７５を駆動することで上皿８内に遊技球を賞品として払出す。即ち、特別始動口２５と特別入賞口３８と普通入賞口５１のそれぞれは遊技球が入賞することで遊技者に遊技球を賞品として払出すものであり、遊技球が普通始動口３４内を通過した場合には遊技者に遊技球が賞品として払出されない。
【００４０】
上記実施例１によれば次の効果を奏する。
特別入賞口ソレノイド５５のプランジャ５６が前進位置および後退位置相互間で移動することでリンクプレート６４が回転軸６３を中心に前後方向へ移動し、リンクプレート６４が前後方向へ移動することで扉５０が同方向へ移動する。このため、リンクプレート６４の上板部６６のスリット７１内での変位が小さく抑えられるので、上板部６６の表面およびスリット７１の内面相互間での摩擦力が小さくなる。従って、扉５０の円滑な移動が摩擦力で阻害されることが防止される。レバー６０およびリンクプレート６４のそれぞれが中心線ＣＬに対して左右方向に均等な形状に設定されているので、特別入賞口ソレノイド５５のプランジャ５６の移動力がレバー６０を通してリンクプレート６４に左右方向にバランス良く伝わる。このため、特別入賞口ソレノイド５５がオンオフされる場合にリンクプレート６４が左右方向にがたつくことがなくなるので、この点からも扉５０が円滑に移動する。
【００４１】
普通入賞口５１の左方の隔壁として特別入賞口３８の右板４１を利用し、普通入賞口５１の前方の隔壁として特別入賞口３８の前板４２を利用したので、普通入賞口５１の構成が簡素になる。しかも、普通入賞口５１が特別入賞口３８の右板４１を斜辺とする直角三角形状の右領域内に配置されるので、特別入賞口３８および普通入賞口５１相互間の遊技盤１９内での集約度が密になる。扉５０の閉鎖位置で遊技盤１９内に遊技球が右打ち状態で発射されている場合に遊技球を扉５０の上面の傾斜に沿って右から左へ転動させることで当該遊技球が開放状態の特別始動口２５または普通始動口３４に入賞することを可能としたので、扉５０を特別始動口２５および普通始動口３４の双方に対する遊技球の入賞経路として利用できる。
【００４２】
上記実施例１においては、リンクプレート６４の上板部６６に回転軸６３を固定し、回転軸６３を装飾板３３の両軸受け６２のそれぞれに回転可能に装着することでリンクプレート６４の下板部６５を上端部の回転軸６３を中心に前後方向へ移動操作する構成としても良い。この構成の場合にはリンクプレート６４の下板部６５を扉５０のスリット７１内に挿入し、扉５０を特別入賞口ソレノイド５５のプランジャ５６の前進位置で閉鎖位置に操作すると共に特別入賞口ソレノイド５５のプランジャ５６の後退位置で開放位置に操作すると良い。
【００４３】
上記実施例１においては、リンクプレート６４の中間板７０を開口部６９内の高さ方向の中央部に固定し、レバー６０の係合空間部６１内にリンクプレート６４の中間板７０を挿入しても良い。この構成の場合には特別入賞口ソレノイド５５のプランジャ５６の移動力がレバー６０を通してリンクプレート６４の高さ方向の中央部に伝達されるので、リンクプレート６４が回転軸６３を中心に前後方向へ移動するときの安定性が高まる。
【００４４】
上記実施例１においては、特別入賞口３８の左板４０を右方の隔壁とすると共に特別入賞口３８の前板４２を前方の隔壁とする普通入賞口を設けても良い。この普通入賞口は特別入賞口３８の左板４０を斜辺とする直角三角形状の左領域内に配置されたものであり、特別入賞口３８の左板４０に沿って左斜め上方に向けて開口するポケット状をなしている。この構成の場合には普通入賞口が特別入賞口３８の左方に隣接して配置されるので、特別入賞口３８および普通入賞口相互間の遊技盤１９内での集約度が密になる。
【００４５】
上記実施例１においては、普通入賞口５１を遊技球が通過可能なゲート状に構成しても良い。この構成の場合には普通入賞口５１内に普通始動口センサ３５を設け、遊技球が普通入賞口５１内を通過した場合に普通始動口センサ３５からの普通始動信号に基づいて当りであるか否かを判定すると良い。
【００４６】
上記実施例１においては、扉５０に貫通孔状のスリット７１に換えて上面が閉鎖された有底状のスリットを設けても良い。
上記実施例１においては、特別入賞口ソレノイド５５としてプランジャ５６を電磁力で前進させると共に電磁力で後退させる電磁ソレノイドまたはプランジャ５６を電磁力で前進させると共にスプリングのばね力で後退させる電磁ソレノイドを用いても良い。
【符号の説明】
【００４７】
１９は遊技盤、２５は特別始動口（始動口）、３６はメイン制御回路（制御回路）、３８は特別入賞口（特別入球口）、３９は底板、４０は左板、４１は右板、４２は前板、５０は扉、５１は普通入賞口（普通入球口）、５５は特別入賞口ソレノイド（電磁ソレノイド，駆動源）、５６はプランジャ、６０はレバー（レバー部材）、６２は軸受け（静止部材）、６４はリンクプレート（リンク部材）、７１はスリットを示す。
【図１】
2011224114.tif 000003
【図２】
2011224114.tif 000004
【図３】
2011224114.tif 000005
【図４】
2011224114.tif 000006
【図５】
2011224114.tif 000007
【図６】
2011224114.tif 000008
【図７】
2011224114.tif 000009